(57)【要約】      （修正有）【課題】ハイブリッド木柱の製作コストを低減した上で、ハイブリッド木柱に全体的な強度をバランスよく付与し、自然景観に対応出来る。【解決手段】本形態のハイブリッド木柱１は、間伐材等からなる木材２の軸線方向の中心に貫通孔３を形成し、当該貫通孔３に鋼材製のパイプ４を適合状に挿入固定され、さらに、強度をあげるため当該パイプ４内に硬化性の充填剤５であるコンクリートを充填し、尚、一層の強度を増加させるため鉄筋を挿入したり、アラミド繊維入りのコンクリートを充填させる構成である。【選択図】図２
0003113760.tif 000002
【実用新案登録請求の範囲】
【請求項１】
木材の軸線方向の中心に形成された貫通孔に固形材からなるパイプを挿入してなるハイブリッド木柱。
【請求項２】
前記パイプ内に硬化性の充填材を充填してなる請求項１に記載のハイブリッド木柱。
【請求項３】
前記充填剤内に配筋及びアラミド繊維を混入してなる請求項１ないし請求項２に記載のハイブリッド木柱。
【考案の詳細な説明】
【技術分野】
【０００１】  本考案は、木柱に関し、詳しくは、木材と固形材と複合させ、全体が木材であると見れる木柱に関する。
【背景技術】
【０００２】  従来の木材と固形材とを複合させてなる木柱に関する先行技術文献情報として、たとえば、２本の合成材で鉄骨を心材として挟んで貼り合わせ一体化した合板状に形成したもの（特許文献１参照）、また、木材の中心部に１本ないし複数本の鉄筋を挿入一体化して形成したもの（特許文献２）がある。
【特許文献１】特開平６−２７２３５７
【特許文献２】特開２００２−３３９５０４
【考案の開示】
【考案が解決しようとする課題】
【０００３】  しかしながら、特許文献１に記載の木柱は、合板状のものであるので屋外での使用や長期間の使用によって貼り合わせ面の接着力が弱まったり、木柱に作用する曲げ応力の方向が貼り合わせ面と正対する方向だったりすることによって剥離が生じる事がある。
また、貼り合わせ面に鉄骨が適合して嵌合する溝を形成したり、貼り付け時に圧力を加えたりする加工が必要であるので、製作コストが増加するとともに、当該製造コストが製品価格に大きく影響してしまう。
さらに、特許文献２に記載の木柱も同様であるが、木材と鉄骨および鉄筋との応力（引張応力、曲げ応力、せん断応力等）差が大きいため、木柱における全体的なバランスが悪く、強度の増加が期待できない。
また、鉄筋を複数本挿入する際において、本数分の貫通孔を開孔が必要であるものの、長尺の木材に鉄筋が挿通する細い貫通孔を開孔するのは難しい上に、面倒なものである。【０００４】  本考案は、自然環境に対応した木柱の製作コストを低減した上で、木柱に全体的な強度をバランスよく付与することを課題とし、この課題を解決するハイブリッド木柱の提供を目的とする。
【課題を解決するための手段】
【０００５】  本考案は、前記目的を達成するため、下記の技術的手段をを採用した。
木材の軸線方向の中心に形成された貫通孔に、固形材からなるパイプを適合状に挿入固定してなるハイブリッド木柱にしたことである（第１考案）。
ここで、固形材とは、金属を含むすべての固形材を包含とするが、好ましくは鋼材のような丈夫なものである。
また、さらに、強度を向上させるという観点から、前記パイプ内に硬化性の充填剤を充填することが好ましい（第２考案）。
ここで、硬化性の充填剤とは、コンクリートさらには、合成樹脂等が挙げられる。【０００６】  なお、ハイブリッド木柱の強度を増加させるため請求項２の硬化性の充填剤５に鉄筋を挿入したり或は又アラミド繊維等を混入することも可なり。（第３考案）。
【考案の効果】
【０００７】  本考案によれば、下記の優れた効果が期待できる。
第１考案によれば、外側から作用する引張応力、曲げ応力、せん断応力等の応力に対してはパイプ自身の強度によって受け止め、外側の木材は緩衝材となり、自然景観にも対応出来る。
また、パイプが挿入される貫通孔を一本形成すればよいので製作コストも低くできる。
したがって、ハイブリッド木柱の製作コストを低減した上で、ハイブリッド木柱に全体的な強度をバランスよく付与することができ、自然環境に対応できる。
また、第２考案によれば、ハイブリッド木柱の強度をより向上させることができる。更に第３の考案によればハイブリッド木柱自体の強度が一段と向上する。
【考案を実施するための最良の形態】
【０００８】  以下、本考案のハイブリッド木柱１を実施するための最良の形態を図面に基づいて説明する。
本形態のハイブリッド木柱１は、間伐材等からなる木材２の軸線方向の中心に貫通孔３を形成し、当該貫通孔３に鋼材製のパイプ４を適合状に挿入固定され、さらに、強度をあげるため当該パイプ４内に硬化性の充填剤５であるコンクリートを充填し、尚、一層の強度を増加させるため鉄筋を挿入したり、アラミド繊維入りのコンクリートを充填させる構成である。（図示せず）【０００９】  ハイブリッド木柱１の、脚部固定金具９で固定される部分は内面外面共に低公害タイプの防腐蝕加工が施されている。
前記貫通孔３の直径はパイプ４の直径と同径であり、当該パイプ４が隙間無く適合して嵌合可能なように形成されている。【００１０】  なお、コンクリート５の充填は、ハイブリッド木柱１の設置作業の効率化のため、ハイブリッド木柱１を目的の場所に設置し、ハイブリッド木柱の所定の位置に締付ボールト６をセットした後、充填することが好ましい。【００１１】  なお、前記木材２は、充分に乾燥させる必要がある。通常、未加工の生木の状態で乾燥させると心材部と辺材部とで乾燥速度が異なるため、ひび割れが発生する事がある。
これを防ぐために、生木の状態で前記貫通孔３を形成することによって、木材２の厚みが薄くなって、その乾燥が貫通孔３側と外周面側から同時に開始され、ひび割れを防止することができると同時に、防腐剤の浸透を促進させる。
また、本形態では、固形パイプ４内に硬化性の充填剤としてコンクリート５を充填した構成を例示しているが、他の例として前記コンクリートを充填しない構成でもよく、この場合、前記パイプ４の径や肉厚を大きくすることによってハイブリッド木柱１の強度を保持する。（図示せず）【００１２】  前記構成のハイブリッド木柱１を具体的に実施する際の構成を説明する、たとえば、道路における防護柵に用いる場合、当該ハイブリッド木柱脚部固定金具９を基礎コンクリート１０上に固定された埋込ボールト等で固定し、脚部が防腐処理された当該ハイブリッド木柱１を水密性パッキンを付けた締付ボールト６で固定した後、当該ハイブリッド木柱１に後述する木製ガードレール取付用の締付ボールト６を設定する。このあと硬化性の充填剤５（コンクリートやアラミド繊維入りコンクリート）を充填し硬化させる。
次に、ハイブリッド木柱１に所定本数の木製ガードレール１２材を前記のガードレール締付ボールト６により固定する。木製ガードレール１２材とハイブリッド木柱１との間には風通しを良くし乾燥させるため、防腐処理された堅木製のパッキン１３を介在させる。
次にハイブリッド木柱１の頂部に、雨水の浸入を防ぐとともに、通りを整えることや景観を保つために、木製の笠木７をビス８によって固定し、かつ前記ハイブリッド木柱脚部固定金具９上部とハイブリッド木柱１との接合部をコーキング処理して雨水の浸入を防ぐようにしている。
このようにして本形態のハイブリッド木柱１を使用した木製の防護柵を構成することが出来る。尚、基礎コンクリートを利用しない土中立込式に於いては土中部と地際部迄を固形のパイプで包み防腐処理すれば良い。（図示せず）【００１３】  なお、本発明は、例示した構成に限定されるものではなく、特許請求の範囲の各項に記載された内容から逸脱しない範囲で実施することも任意である。
【図面の簡単な説明】
【００１４】  図１  本発明に係るハイブリッド木柱の平面図
図２  図１のＡ−Ａ線断面図
図３  本発明のハイブリット木柱の使用の一例を示す側面図
図４  本発明のハイブリット木柱の使用の一例を示す平面図
図５  発明のハイブリット木柱の使用の一例を示す正面図
図６  図５のＢ−Ｂ線断面図
【符号の説明】
【００１５】  １：ハイブリッド木柱
２：木材
３：貫通孔
４：固形パイプ
５：硬化性の充填剤（コンクリート）
６：締付ボールト
７：笠木
８：ビス
９：ハイブリッド木柱脚部固定金具
１０：基礎コンクリート
１２：木製ガードレール
１３：堅木製パッキン
１４：コーキング
【図１】
0003113760.tif 000003
【図２】
0003113760.tif 000004
【図３】
0003113760.tif 000005
【図４】
0003113760.tif 000006
【図５】
0003113760.tif 000007
【図６】
0003113760.tif 000008